(57)【特許請求の範囲】
【請求項１】
メモリーカード（１０）の電極部と接触する複数のコンタクト（２）と、
複数のコンタクト（２）を平面上に露出させて支持する絶縁プレート（３１）を有する絶縁ケース（３）と、
絶縁プレート（３１）とともにメモリーカード（１０）を遊嵌するカード収容室（１１）が形成されるように絶縁ケース（３）上に配設され、絶縁ケース（３）の前方から挿入されるメモリーカード（１０）を後方のカード収容室（１１）へ案内するカバー（４）と、
カバー（４）上を前後方向に進退自在に移動し、イジェクト爪（５２）がカバー（４）の後方に垂設されたスライダ（５）とを備え、
カード収容室（１１）に収容された状態で、カバー（４）の後方に露出するメモリーカード（１０）の後端にイジェクト爪（５２）を当接させ、
前方へ摺動操作するスライダ（５）によってメモリーカード（１０）を連動させて、カード収容室（１１）から前方へ排出することを特徴とするメモリーカード用コネクタ。
【請求項２】
カバー（４）は、絶縁プレート（３１）とメモリーカード（１０）を収容する隙間を隔てて絶縁プレート（３１）上に平行に配置されるカバープレート（４１）と、カバープレート（４１）の左右両側から下方に直角に折り曲げられ、プリント配線基板に固着される脚部（４４）とからなり、カバープレート（４１）と脚部（４４）は、金属板から一体に形成されてなることを特徴とする請求項１に記載のメモリーカード用コネクタ。
【請求項３】
カバー（４）の脚部（４４）は、プリント配線基板のグランドパターンに半田付けされることを特徴とする請求項２に記載のメモリーカード用コネクタ。
【請求項４】
スライダ（５）は、カバープレート（４１）に平行に積層される金属製のスライダプレート（５１）を有し、スライダプレート（５１）がカバープレート（４１）の平面に沿って摺動することを特徴とする請求項２又は３に記載のメモリーカード用コネクタ。
【請求項５】
スライダプレート（５１）の左右両側に沿って形成される第１ガイド部（５３）と、カバープレート（４１）の左右両側に沿って形成される第２ガイド部（４３）が係合し、スライダプレート（５１）が前後方向に案内されることを特徴とする請求項４に記載のメモリーカード用コネクタ。
【請求項６】
スライダ（５）を後方へ付勢する付勢手段が設けられ、後方へ付勢されるスライダ（５）は、カード収容室（１１）に収容されたメモリーカード（１０）の後端より少なくとも後方にイジェクト爪（５２）が待機する位置で、カバー（４）若しくは絶縁ケース（３）に設けられたストッパー部（３５）に当接して位置決めされることを特徴とする請求項１乃至５のいずれか１項に記載のメモリーカード用コネクタ。
【発明の詳細な説明】
【技術分野】
【０００１】
本発明は、ＩＣカードなどのメモリーカードに対して所定のデータを書き込み若しくは読み出す為に、挿入されたメモリーカードと電気接続するメモリーカード用コネクタに関し、更に詳しくは、挿入されたメモリーカードを排出する機構が設けられたメモリーカード用コネクタに関する。
【背景技術】
【０００２】
従来、複数のコンタクトが取り付けられた絶縁ケースと、メモリーカードを挿入し、メモリーカードの挿入方向に沿って進退自在となるように絶縁ケース内に遊嵌されたガイドケースとを備えたメモリーカード用コネクタであって、ガイドケースと絶縁ケースのいずれか一方にハート型溝カムが凹設され、他方にこの溝カム内に先端が付勢されるロックピンが取り付けられることにより、メモリーカードを押し込む毎に、メモリーカードをコンタクトと接触する接続位置と、排出される排出位置との間で交互に移動させるいわゆるプッシュ／プッシュ方式のカード排出機構が知られている（特許文献１）。
【０００３】
【特許文献１】特許第３０８３７７８号公報（第６頁１１欄２１行乃至１２欄４７行、図１、図６、図１２）
【０００４】
図１４は、このプッシュ／プッシュ方式のカード排出機構が設けられた従来のメモリーカード用コネクタ１００を示す分解斜視図であり、図中１０１は、メモリーカード１０２の挿入方向である前後方向に沿って複数のコンタクト１０３が取り付けられた絶縁ケースである。絶縁ケース１０１のコンタクト１０３の接触部が露出する平面側には、ガイドケース１０４を遊嵌させるガイドケース収容室１０５が凹設され、また、その一方の側壁１０１Ａ内に、板バネ１０６によりその一端がガイドケース収容室１０５の方向に付勢されるコの字状ロックピン１０７が揺動自在に取り付けられている。
【０００５】
ガイドケース１０４は、水平としたメモリーカード１０２を前方から挿入する扁平枠状に形成され、前方から挿入するメモリーカード１０２は、ガイドケース１０４の後壁に当接してガイドケース１０４内に収容される。ガイドケース１０４の底壁には、絶縁ケース１０１の平面に露出するコンタクト１０３を挿通し、メモリーカード１０２の底面に露出する電極部へ接触させるスリットが穿設されている。
【０００６】
ガイドケース１０４の全体は、後壁と絶縁ケース１０１の間に配置された圧縮バネ１０８により前方に付勢され、絶縁ケース１０１の前端にねじ止め固定されるストッパー１０９に当接して、ガイドケース収容室１０５内に前後方向に進退自在に収容される。
【０００７】
また、ロックピン１０７が取り付けられた側壁１０１Ａと対抗するガイドケース１０４の外側面には、ロックピン１０７の先端が係合するハート型溝カム１１０が凹設されている。ハート型溝カム１１０は、図１５に示すように、中央の島１０７Ａを中心に図中反時計回りで上昇する傾斜面ｆ、ｊと、階段状に下降する内底面ｇ、ｈ、ｉ、ｅとからなり、これによりロックピン１０７の先端は島１０７Ａ回りに反時計回りでその内底面に沿って摺動するようになっている。
【０００８】
このように構成されたメモリーカード用コネクタ１００の動作を図１６で説明する。メモリーカード１０２を挿入していない待機状態で、図１６（ａ）に示すように、ガイドケース１０４は、圧縮バネ１０８により前方に付勢されストッパー１０９に当接している。この状態で、ロックピン１０７の先端は、ハート型溝カム１１０のｅ内に位置している。
【０００９】
このコネクタ１００にメモリーカード１０２を前方（図中右方）からガイドケース１０４内に挿入すると、メモリーカード１０２に後方へ押圧されるガイドケース１０４は、圧縮バネ１０８を圧縮しながら後方に移動し、ロックピン１０７の先端が、ハート型溝カム１１０のｅからｆを経由してｇ内に至る（同図（ｂ））。
【００１０】
この状態で、メモリーカード１０２への後方へ押圧を解くと、ガイドケース１０４は、圧縮バネ１０８により再び前方に付勢され、ロックピン１０７の先端は、相対的にハート型溝カム１１０のｇとｆの境界の段部に沿ってｈに落ち込み、島１０７Ａに当接してガイドケース１０４が同図（ｃ）の接続位置で停止する。この接続位置で、絶縁ケース１０１からスリットを介してガイドケース１０４内に挿通する各コンタクト１０３は、メモリーカード１０２の底面に露出する電極部へそれぞれ接触し、電気接続される。
【００１１】
メモリーカード１０２を排出する場合には、接続位置からメモリーカード１０２を再び前方へ押圧し、ロックピン１０７の先端を、ハート型溝カム１１０のｈから、ｇとｈの境界の段部に沿ってｉへ落ち込ませる。その後、メモリーカード１０２への押圧を解くと、ガイドケース１０４は、圧縮バネ１０８により前方へ押し出され、ロックピン１０７の先端は、ｉから傾斜面ｊを経由してｅへ戻る。これにより、ガイドケース１０４はストッパー１０９に当接する待機位置へ復帰し（同図（ｄ））、メモリーカード１０２をガイドケース１０４から抜き出すことができる。
【発明の開示】
【発明が解決しようとする課題】
【００１２】
しかしながら、この従来のプッシュ／プッシュ方式のカード排出機構を備えたメモリーカード用コネクタ１００は、ロックピン１０７とハート型溝カム１１０からなるロック機構やガイドケース１０４を前方に付勢する圧縮バネ１０８を設ける必要があるので、構成部品数が多く、また、これらの部品を設けるスペースからコネクタ全体が大型化する問題があった。
【００１３】
また、カード排出機構が複雑であるため、メモリーカード１０２を接続位置から押し込んでもガイドケース１０４が待機位置に復帰しない作動エラーが生じたり、ロックピン１０７と島１０７Ａとの係合が外れ、突然ガイドケース１０４が待機位置まで復帰して、メモリーカード１０２が不用意に飛び出る危険があった。
【００１４】
更に、ガイドケース１０４は、スリットに挿通させるコンタクト１０３とショートしないように合成樹脂などの絶縁物で成形するので、機械的な強度に限界があり、メモリーカード１０２を前後の挿抜方向と異なる方向に挿抜させると、ガイドケース１０４が変形し、ガイドケース収容室１０５内で円滑に摺動しなくなるという問題があった。
【００１５】
本発明は、このような従来の問題点を考慮してなされたものであり、簡単な構成で、確実に接続位置に挿入されたメモリーカードを引き出すことができるメモリーカード用コネクタを提供することを目的とする。
【００１６】
また、メモリーカードに予期しない方向の力を加えても、機械的な強度に優れ、故障のないメモリーカード用コネクタを提供することを目的とする。
【課題を解決するための手段】
【００１７】
上述の目的を達成するため、請求項１のメモリーカード用コネクタは、メモリーカードの電極部と接触する複数のコンタクトと、複数のコンタクトを平面上に露出させて支持する絶縁プレートを有する絶縁ケースと、絶縁プレートとともにメモリーカードを遊嵌するカード収容室が形成されるように絶縁ケース上に配設され、絶縁ケースの前方から挿入されるメモリーカードを後方のカード収容室へ案内するカバーと、カバー上を前後方向に進退自在に移動し、イジェクト爪がカバーの後方に垂設されたスライダとを備え、カード収容室に収容された状態で、カバーの後方に露出するメモリーカードの後端にイジェクト爪を当接させ、前方へ摺動操作するスライダによってメモリーカードを連動させて、カード収容室から前方へ排出することを特徴とする。
【００１８】
絶縁プレートとカバーで形成されるカード収容室の前方から挿入するメモリーカードは、後方のカード収容室に遊嵌され、絶縁プレートの平面側に露出するコンタクトが電極部に接触する。
【００１９】
スライダをカバーの上方で前方へ移動操作すると、メモリーカードの後端にイジェクト爪が当接し、メモリーカードがカード収容室から前方に排出される。
【００２０】
請求項２のメモリーカード用コネクタは、カバーは、絶縁プレートとメモリーカードを収容する隙間を隔てて絶縁プレート上に平行に配置されるカバープレートと、カバープレートの左右両側から下方に直角に折り曲げられ、プリント配線基板に固着される脚部とからなり、カバープレートと脚部は、金属板から一体に形成されてなることを特徴とする。
【００２１】
金属板で形成されるカバーは、カバー収容室内に収容されるメモリーカードの電極部が露出する底面とは対向しないので、コンタクトやメモリーカードの電極部間がカバーによりショートすることがない。
【００２２】
請求項３のメモリーカード用コネクタは、カバーの脚部が、プリント配線基板のグランドパターンに半田付けされることを特徴とする。
【００２３】
メモリーカード及びコンタクトの周囲を覆う金属板から形成されるカバーが接地されるので、メモリーカード及びコンタクトに外部からノイズが侵入しづらい。
【００２４】
請求項４のメモリーカード用コネクタは、スライダが、カバープレートに平行に積層される金属製のスライダプレートを有し、スライダプレートがカバープレートの平面に沿って摺動することを特徴とする。
【００２５】
スライダプレートとカバープレート間の摺動面は、それぞれ金属板の表面であるので、がたつきなくスライダプレートが摺動する。
【００２６】
また、スライダプレートとカバープレートを薄肉の金属板で形成できるので、コネクタを薄型化できる。
【００２７】
請求項５のメモリーカード用コネクタは、スライダプレートの左右両側に沿って形成される第１ガイド部と、カバープレートの左右両側に沿って形成される第２ガイド部が係合し、スライダプレートが前後方向に案内されることを特徴とする。
【００２８】
第１ガイド部と第２ガイド部は、金属板から形成されるので、変形しづらく、スライダプレートが円滑に前後方向に案内される。
【００２９】
請求項６のメモリーカード用コネクタは、スライダを後方へ付勢する付勢手段が設けられ、後方へ付勢されるスライダは、カード収容室に収容されたメモリーカードの後端より少なくとも後方にイジェクト爪が待機する位置で、カバー若しくは絶縁ケースに設けられたストッパー部に当接して位置決めされることを特徴とする。
【００３０】
イジェクト爪によりメモリーカードを前方へ排出した後、スライダへの操作力を解くと、付勢手段によりスライダはストッパー部に当接する位置まで後退し、イジェクト爪が待機する位置まで自動復帰する。
【発明の効果】
【００３１】
請求項１の発明によれば、絶縁ケースとカバーとイジェクト爪を有するスライダのみの簡単な構成で、メモリーカードの排出機構が得られる。特に、絶縁ケースの絶縁プレートとカバーとスライダは、メモリーカードの厚さを隔てて積層することによって構成できるので、メモリーカード用コネクタを薄型化できる。
【００３２】
更に、スライダとメモリーカードとは直接摺動接触しないので、後方へ移動するスライダに連動してメモリーカードがカード収容室内に戻ることがない。
【００３３】
更に、メモリーカードは、スライダのイジェクト爪を当接させて、排出用のバネを用いずに手動で排出するので、排出機構が単純で排出エラーが生じたり、メモリーカードが不用意にカード収容室から飛び出ることがない。
【００３４】
請求項２の発明によれば、カバーを強度に優れた金属板で構成するので、メモリーカードから予期しない方向の力を受けても、メモリーカードの排出機構が変形せず、故障しない。
【００３５】
また、絶縁ケースがカバープレートによって覆われるので、コネクタに加わる予期しない衝撃荷重や外力は、プリント配線基板に脚部が固着されるカバーに加わり、絶縁ケースに支持されるコンタクトのプリント配線基板との接続部には伝達されないので、コンタクトの接続部にパターン剥離などの接続不良が発生しない。
【００３６】
請求項３の発明によれば、カード収容室を形成するカバー全体が接地されるので、カード収容室に収容されるメモリーカードとコンタクトを、外方からシールドすることができる。
【００３７】
請求項４の発明によれば、カバープレートに平行に積層されるスライダプレートも金属板で形成されるので、上方から衝撃荷重や不用意な外力を受けてもカバーが保護され、メモリーカードを遊嵌するカード収容室の形状が変形しない。
【００３８】
また、カバーが接地されている場合には、カバープレートに接触するスライダも接地され、メモリーカードとコンタクトの接続部が更に完全にシールドされる。
【００３９】
また、請求項５の発明によれば、金属板による強度に優れた第１ガイド部と第２ガイド部でスライダをメモリーカードの挿入方向に沿って案内できる。
【００４０】
第１ガイド部と第２ガイド部を係合させて、スライダをカバーへ組み立てる組み立て作業は、絶縁ケースとの組立と別に、容易に行うことができる。
【００４１】
また、請求項６の発明によれば、スライダを手動操作することなく、付勢手段により待機位置である後方まで自動的にスライドする。
【発明を実施するための最良の形態】
【００４２】
以下、本発明の実施の形態について図面を参照しながら詳細に説明する。本発明の一実施の形態に係るメモリーカード用コネクタ１は、いわゆる携帯電話機のプリント配線基板に実装されるメモリーカード用コネクタであって、このコネクタ１と接続するメモリーカード１０は、携帯電話機のプログラムソフト、使用者データなどを記憶するＳＩＭカードである。
【００４３】
本実施の形態に係るメモリーカード用コネクタ１は、図５に示すように、複数のコンタクト２を位置決め支持する絶縁ケース３と、カバー４と、スライダ５とを備えている。
【００４４】
絶縁ケース３は、図１１に示すように、長方形状の絶縁プレート３１と、絶縁プレート３１の左右両側から後方（図中上方）にかけて立設した外枠部３２、３２とを、合成樹脂により一体に形成したものである。外枠部３２は、接続するメモリーカード１０の平面の輪郭よりわずかに大きく、また外枠部３２の高さは、メモリーカード１０の厚みよりわずかに高く、これにより外枠部により囲まれる内側は、絶縁ケース３上を覆うカバー４とにより、メモリーカード１０を前方（図中下方）から収容するカード収容室１１が構成される。
【００４５】
外枠部３２の左右の外側面には、カバー４の後述する脚部４４を挟持し前後方向に位置決めする位置決め枠部３３と、位置決め枠部３３の後方で、前後方向に対向する前方ストッパー段部３４及び後方ストッパー段部３５とが形成されている。
【００４６】
絶縁プレート３１には、絶縁ケース３の成形の際にインサート成形により、前後各列に３本のコンタクト２が、絶縁プレート３１と一体に取り付けられている。各コンタクト２の一側の接触片２１は、メモリーカード１０の底面に露出する電極部と対向する部位に、絶縁プレート３１の平面から突出するように片持ち支持され、これによりカード収容室１１に収容されるメモリーカード１０の対応する電極部に、各コンタクト２の接触片２１が弾性接触する。また各コンタクト２の他側は、絶縁プレート３１の前後から絶縁プレート３１の底面に沿って引き出され、メモリーカード用コネクタ１を実装する図示しないプリント配線基板の対応するランドパターンに半田接続されるようになっている。
【００４７】
カバー４は、図１２に示すように、絶縁プレート３１上にメモリーカード１０を収容する隙間を隔てて平行に配置されるカバープレート４１と、カバープレート４１の後端から下方に向けて垂設された一組の係止爪４２と、カバープレート４１の左右両側に沿って、左右両側の中央部が下方に直角に折り曲げられたガイド片４３と、ガイド片４３の前後両側で、カバープレート４１の左右両側が下方にクランク状に折り曲げられた脚部４４とが、導電性の金属板をプレス成形して一体に形成されたものである。
【００４８】
カバープレート４１には、後述するイジェクト爪５２がカバープレート４１と干渉せずに、カバープレート４１上を前後に往復移動するように、後端から前方に向かって矩形の切り欠き部４１ａが切り欠かれている。また、中央には、絶縁ケース３上にカバー４を組み立てた状態で、コンタクト２の上方に位置する長方形状の窓孔４１ｂが穿設され、組み立てた後に、目視したり、テスターを挿入して、コンタクト２への導通試験が可能となるようにしている。
【００４９】
図５に示すように、このカバー４は、ガイド片４３の前方の脚部４４を、位置決め枠部３３内に、カバープレート４１の後端に垂設された係止爪４２を、外枠部３２の後方に穿設された係止孔３６内にそれぞれ圧入することにより、絶縁ケース３上に位置決め固定される。絶縁ケース３上に固定される状態で、後方の脚部４４は、後方ストッパー段部３５の前方で外枠部３２の外側面に沿って配設され、また、ガイド片４３は、前方ストッパー段部３４と後方ストッパー段部３５の間で、外枠部３２の外側面とわずかな隙間を隔てて前後方向に沿って配設される。
【００５０】
クランク状に折り曲げられた前方及び後方の脚部４４の先端は、絶縁プレート３１の底面に沿って配置され、上述のプリント配線基板のグランドパターンに半田接続される。これによりカバー４の全体が接地電位に保たれる。
【００５１】
スライダ５は、図１３に示すように、カバープレート４１の平面に沿って摺動する長方形状のスライダプレート５１と、スライダプレート５１の後端から下方に向けて垂設された一組のイジェクト爪５２と、スライダプレート５１の左右両側の後方で、前後方向に沿って垂設された断面Ｕ字状のＵ字ガイド部５３と、スライダプレート５１の前方でメモリーカード１０の両側を囲うように左右の両側を折り曲げた挿入口部５４と、スライダプレート５１の前端から上方に折り曲げられた取っ手５５とが、導電性の金属板をプレス成形して一体に形成されたものである。
【００５２】
スライダ５は、上向きに開口するＵ字ガイド部５３内にカバー４のガイド片４３を係合させて、ガイド片４３の方向、すなわちメモリーカード１０の挿入方向に沿った前後方向に進退自在に案内される。
【００５３】
スライダプレート５１の後方には、カバープレート４１の平面に摺動接触する一組の切り起こし片５６が後方に向かって下方に切り起こされている。切り起こし片５６は、カバープレート４１の平面側に弾性接触することによりガイド片４３がＵ字ガイド部５３から脱落することを防止すると共に、スライダプレート５１をがたつきなくカバープレート４１の平面上に摺動接触させるものである。更に、接地されたカバープレート４１に接触することにより、スライダ５の全体も接地される。スライダプレート５１には、また、図４に示すように、カバー４の切り欠き部４１ａ若しくは窓孔４１ｂを通してコンタクト２への導通試験を可能とするように、複数の窓孔５１ａが穿設されている。
【００５４】
このように構成されるメモリーカード用コネクタ１の組立は、始めにカバー４とスライダ５を組み立てる。図５に示すように、カバー４のガイド片４３の後方延長線上にＵ字ガイド部５３が位置するようにスライダ５を配置し、Ｕ字ガイド部５３内にガイド片４３を挿通させながら、スライダ５をカバー４の平面側で前方にスライドさせ、カバー４とスライダ５を組み立てる。この状態で、スライダ５のイジェクト爪５２は、カバー４の切り欠き部４１ａ内から下方に突出する。
【００５５】
続いて、スライダ５を組み付けたカバー４を、絶縁ケース３へ上方から組み付ける。上述のように、絶縁ケース３への取り付けは、カバー４の前方の脚部４４と係止爪４２を、絶縁ケース３の位置決め枠部３３と係止孔３６にそれぞれ上方から圧入することにより行われる。絶縁ケース３に取り付けた状態で、ガイド片４３に係合するＵ字ガイド部５３もガイド片４３とともに、前方ストッパー段部３４と後方ストッパー段部３５の間に配置される。従って、図９、図１０に示すように、Ｕ字ガイド部５３は、前方ストッパー段部３４と後方ストッパー段部３５との間で前後方向にスライドし、スライダ５の前後方向の移動は、これらの段部３４、３５の間に規制される。
【００５６】
以下、このメモリーカード用コネクタ１へメモリーカード１０を挿入し、また抜き出す動作を、図１乃至図１０を用いて説明する。
【００５７】
メモリーカード１０を接続する場合には、電極部の露出面を底面側として、図４に示すように、スライダ５の挿入口部５４の前方からメモリーカード１０を挿入する。挿入口部５４から挿入されたメモリーカード１０は、メモリーカード１０を遊嵌する形状に形成されたカード収容室１１の内壁面に沿って後方へ案内され、メモリーカード１０の先端（後端）が外枠部３２の後方壁に当接する位置で、カード収容室１１内に収容される。
【００５８】
メモリーカード１０を前後方向の挿入方向と異なる向きで強制的に挿入しようとしたり、異なる方向に力を加えても、カード収容室１１を構成するカバー４が、機械的強度に優れた金属板で形成されているので、カード収容室１１の形状が変形することがなく、メモリーカード１０を円滑に挿抜することができる。
【００５９】
スライダ５は、メモリーカード１０を挿入する前にいずれの位置にあってもよいが、カード収容室１１へ挿入するメモリーカード１０が、スライダ５のイジェクト爪５２に当接する場合には、メモリーカード１０の挿入と共にイジェクト爪５２も後方へ移動し、図６に示すように、カード収容室１１にメモリーカード１０が収容される接続位置で、イジェクト爪５２は、メモリーガード１０の後端より少なくとも後方に位置している。
【００６０】
図６に示す接続位置では、カード収容室１１内に突出する各コンタクト２の接触片２１は、対向するメモリーカード１０の電極部に弾性接触し、これによりメモリーカード１０とメモリーカード用コネクタ１を実装したプリント配線基板との接続が行われる。
【００６１】
メモリーカード１０を抜き出す場合には、図７に示すように、スライダ５の取っ手５５を前方に引き出す。スライダ５のイジェクト爪５２は接続位置にあるメモリーカード１０の後方にあるので、メモリーカード１０は、前方に移動するイジェクト爪５２によりカード収容室１１から引き出される。
【００６２】
Ｕ字ガイド部５３が絶縁ケース３の前方ストッパー段部３４に当接するまでスライダ５を引き出した後、図８に示すように、スライダ５を再び後方へ押し込む。後方へ移動するスライダ５は、カバープレート４１が介在するので、メモリーカード１０とは直接接触せず、メモリーカード１０のみが前方に引き出された状態で残される。従って、コネクタ１から前方に引き出されたメモリーカード１０を掴み、メモリーカード１０を容易に抜き出すことができる。
【００６３】
このメモリーカード用コネクタ１によれば、バネ機構を用いずにメモリーカード１０を排出するので、ロック機構などの故障によりメモリーカード１０が突然飛び出るような事故がなく、また、複雑な機構を用いずに手動でスライダ５を前後方向に操作するだけで、メモリーカード１０を排出できる。
【００６４】
上記実施の形態では、Ｕ字ガイド部５３とガイド片４３を係合させて、スライダ５をカバー４に組み付けたものであるが、カバー４の上方でメモリーカード１０の挿入方向に沿ってスライダ５が移動し、イジェクト爪５２でメモリーカード１０を前方へ排出できるものであれば、必ずしもカバー４に対してスライダ５を組み付ける必要はない。
【００６５】
例えば、スライダ５を、絶縁ケース３やカバー４が収容される筐体に対して、カバー４の上方で前後方向にスライド自在に取り付け、イジェクト爪５２をカード収容室１１に収容されるメモリーカード１０の後方に待機させるようにしてもよい。スライダ５のみを筐体に取り付けたこの実施の形態によれば、スライダ５を筐体の厚み内にスライド自在に収容することも可能となり、メモリーカード用コネクタの全体を更に薄型化することができる。
【００６６】
また、上述の実施の形態では、スライダ５を前後方向に手動操作して、メモリーカード１０を排出したが、スライダ５と固定側の絶縁ケース３、カバー４、筐体などとの間にスライダ５を後方へ付勢する圧縮バネなどの付勢手段を設けて、前方に引き出したスライダ５を後方の待機位置まで自動復帰させるものであってもよい。
【００６７】
例えば、スライダ５とカバー４との間にスライダ５を後方へ付勢する圧縮バネを配置し、後方へ付勢されるスライダ５は、Ｕ字ガイド部５３を後方ストッパー段部３５へ当接させて待機位置に位置決めする。スライダ５を後方へ付勢する付勢手段が設けられたメモリーカード用コネクタによれば、メモリーカード１０を排出する場合にスライダ５を前方へ引き出す一方向の操作のみで、メモリーカード１０が手で掴み簡単に引き出し可能な前方位置に残される。尚、ここで用いられる付勢手段は、スライダ５を後方の待機位置へ付勢する方向に作用するものであるので、スライダ５等の可動部品が前方に飛び出る危険はない。
【００６８】
更に、カバー４の脚部４４は、コンタクト２との接続部をシールドする必要がなければ、必ずしもグランドパターンに接続する必要はない。
【００６９】
更に、カバー４やスライダ５は、シールド効果や機械的な破損の恐れがない場合には、必ずしも金属板で形成する必要はない。
【産業上の利用可能性】
【００７０】
本発明は、携帯電話機などのポータブル機器に、ＩＣカードなどのメモリーカードを接続するメモリーカード用コネクタに適している。
【図面の簡単な説明】
【００７１】
【図１】本発明の一実施の形態に係るメモリーカード用コネクタ１を斜め前方からみた斜視図である。
【図２】メモリーカード用コネクタ１を斜め後方からみた斜視図である。
【図３】メモリーカード用コネクタ１の平面図である。
【図４】メモリーカード用コネクタ１を前後方向に沿って切断した縦断面図である。
【図５】メモリーカード用コネクタ１の分解斜視図である。
【図６】メモリーカード１０がカード収容室１１に収容された接続位置にある状態を示す斜視図である。
【図７】メモリーカード１０を排出するために、スライダ５を前方へスライドさせた状態を示す斜視図である。
【図８】スライダ５を後方へスライドし、メモリーカード１０が前方に残された状態を示す斜視図である。
【図９】Ｕ字ガイド部５３が後方ストッパー段部３５に当接し、スライダ５が後方へ抜け止めされる状態を底面側前方からみたメモリーカード用コネクタ１の斜視図である。
【図１０】Ｕ字ガイド部５３が前方ストッパー段部３４に当接し、スライダ５が前方へ抜け止めされる状態を底面側後方からみたメモリーカード用コネクタ１の斜視図である。
【図１１】コンタクト２が取り付けられた絶縁ケース３の平面図である。
【図１２】カバー４の（ａ）は、背面図、（ｂ）は、平面図、（ｃ）は、右側面図である。
【図１３】スライダ５の（ａ）は、背面図、（ｂ）は、平面図、（ｃ）は、右側面図である。
【図１４】従来のメモリーカード用コネクタ１００を示す分解斜視図である。
【図１５】ハート型溝カム１１０の（ａ）は、平面図、（ｂ）は、ロックピン１０７の先端の移動軌跡に沿った断面図である。
【図１６】ガイドケース１０４と絶縁ケース１０１の関係を示し、（ａ）は、ガイドケース１０４が待機位置にあるとき、（ｂ）は、ガイドケース１０４がバネ受け部に当接したとき、（ｃ）は、ガイドケース１０４が接続位置にあるとき、（ｄ）は、ガイドケース１０４がわずかに後方に押し込まれたとき、の縦断面図である。
【符号の説明】
【００７２】
１        メモリーカード用コネクタ
２        コンタクト
３        絶縁ケース
４        カバー
５        スライダ
１０      メモリーカード
１１      カード収容室
３１      絶縁プレート
３５      ストッパー部（後方ストッパー段部）
４１      カバープレート
４３      第２ガイド部（ガイド片）
４４      脚部
５１      スライダプレート
５２      イジェクト爪
５３      第１ガイド部（Ｕ字ガイド部）
【図１】
0004489664.tif 000002
【図２】
0004489664.tif 000003
【図３】
0004489664.tif 000004
【図４】
0004489664.tif 000005
【図５】
0004489664.tif 000006
【図６】
0004489664.tif 000007
【図７】
0004489664.tif 000008
【図８】
0004489664.tif 000009
【図９】
0004489664.tif 000010
【図１０】
0004489664.tif 000011
【図１１】
0004489664.tif 000012
【図１２】
0004489664.tif 000013
【図１３】
0004489664.tif 000014
【図１４】
0004489664.tif 000015
【図１５】
0004489664.tif 000016
【図１６】
0004489664.tif 000017